(57)【要約】【課題】検査システムの情報抽出を自動化させ、作業工数を削減し、信頼性を向上させる。【解決手段】検査が行われる検査対象を２つ以上有する被検査装置と、センサによる検査対象の検知結果の異常を判定する検査装置とを備える検査システムであって、検査対象と、検知結果を異常と判定する閾値であるパラメータとを関連づけて変更する。【選択図】図８
2010085184.tif 000002
【特許請求の範囲】
【請求項１】
検査が行われる検査対象を２つ以上有する被検査装置と、センサによる前記検査対象の検知結果の異常を判定する検査装置とを備える検査システムであって、
前記検査対象と、前記検知結果を異常と判定する閾値であるパラメータとを関連づけて変更することを特徴とする検査システム。
【請求項２】
前記被検査装置は、前記センサにより検知される前記検査対象に、前記センサにより検知されないときと異なる所定の動作を行わせることを特徴とする請求項１記載の検査システム。
【請求項３】
前記被検査装置は、前記検査対象を識別する検査対象識別子ごとに、行うべき前記所定の動作を記憶する第1の動作記憶手段と、
行っている前記検査対象に対応する前記検査対象識別子を前記検査装置に送信する第1の通信手段を有し、
前記検査装置は、前記検査対象識別子に対応づけて前記パラメータを記憶するパラメータ記憶手段を有することを特徴とする請求項２記載の検査システム。
【請求項４】
前記検査装置は、前記検査対象を識別する検査対象識別子ごとに、行わせるべき前記所定の動作を記憶する第２の動作記憶手段と、
前記検査対象識別子に対応づけて前記パラメータを記憶するパラメータ記憶手段と、
検査すべき前記検査対象に対応する前記所定の動作を前記被検査装置に送信する第２の通信手段を有することを特徴とする請求項２に記載の検査システム。
【請求項５】
前記被検査装置は、前記被検査装置を識別する被検査装置識別子を前記検査装置に送信する第３の通信手段を有し、
前記検査装置は、さらに、前記被検査装置識別子ごとに、前記被検査装置が有する前記検査対象に対応する前記検査対象識別子を、所定の順序で記憶する被検査装置記憶手段を有することを特徴とする請求項４記載の検査システム。
【請求項６】
前記被検査装置、及び前記検査装置は、前記データ通信後、一定時間内に返信の応答がなければシステムの異常と判断するシステム異常判断手段を有することを特徴とする請求項３から５のいずれか1項に記載の検査システム。
【請求項７】
前記センサは、加速度センサであることを特徴とする請求項１から６のいずれか１項に記載の検査システム。
【請求項８】
検査装置によるセンサを用いて検査対象を２つ以上有する被検査装置の前記検査対象を検知する検知ステップと、
前記検査対象と、前記検知ステップによる検知結果を異常と判定する閾値であるパラメータとを関連づけて変更を行い判定する異常判定ステップと、を備えることを特徴とする検査システムの検査方法。
【請求項９】
検査装置によるセンサを用いて検査対象を２つ以上有する被検査装置の前記検査対象を検知する検知処理と、
前記検査対象と、前記検知処理による検知結果を異常と判定する閾値であるパラメータとを関連づけて変更を行い判定する異常判定処理と、をコンピュータに実行させるプログラム。
【発明の詳細な説明】
【技術分野】
【０００１】
本発明は、センサなどを用いて被検査装置の各部の検査を行う検査システム、その検査方法、及びプログラムに関する。
【背景技術】
【０００２】
例えば、パソコンなどの異音検出などの検査は、まず、被検査装置の固体情報が取得され、該固体情報に従って検査方法（発生する音の閾値など）が選択される。従来では、被検査装置の固体情報の取得をデータシートなどからバーコードリーダなどを用いて手作業で取得していた。
【０００３】
また、従来では、作業者などによる検査開始トリガ（ビープ音信号受信）を使用して初期同期を取り、検査中は予め設定したタイムスケジュールに従って互いに予測動作が行われていた。
【０００４】
しかしながら、被検査装置の情報取得は、手作業（バーコードリーダによるデータ読込み）のため、作業工数増加と作業ミスによるトラブルの原因となっていた。
【０００５】
また、被検査装置と検査装置とは、検査中は予測動作で動き、同期を取らないため、一方が異常停止した場合にも、もう一方は通常作業を継続し、結果としてシステムの挙動が不安定となっていた。
【０００６】
そこで、検査が変わるたびに調整を行うといった連続検査時の煩雑さを低減するため、例えば特許文献１には、複数のプローブが配置された一方向へ伸びるプローブベースと、該プローブベースの一端部に配置された原点マークと、を備えることで、検査すべき被検査体の種類を変更するときに、電気接続装置に配置されているプローブユニットを取り外し、その代わりに新たな被検査基板に対応する新たなプローブユニットが電気試験装置に配置される技術について開示されている。
【特許文献１】特開２００２−２８６７５４号公報
【発明の開示】
【発明が解決しようとする課題】
【０００７】
しかしながら、特許文献１に記載の技術は、液晶パネルなどの電気接続装置を用いて試験を行う際に有効な技術であって、例えばパソコンなどに備えられる複数の機能部（ＨＤＤなど）の異音チェックには、適用することができない。
【０００８】
そこで本発明は、上記問題点に鑑みてなされたもので、検査システムの情報抽出を自動化させ、作業工数を削減し、信頼性を向上させる検査システムを提供することを目的とする。
【課題を解決するための手段】
【０００９】
上記課題を解決するため、本発明における検査システムは、検査が行われる検査対象を２つ以上有する被検査装置と、センサによる検査対象の検知結果の異常を判定する検査装置とを備える検査システムであって、検査対象と、検知結果を異常と判定する閾値であるパラメータとを関連づけて変更することを特徴とする。
【００１０】
被検査装置は、センサにより検知される検査対象に、センサにより検知されないときと異なる所定の動作を行わせることを特徴とする。
【００１１】
被検査装置は、検査対象を識別する検査対象識別子ごとに、行うべき所定の動作を記憶する第1の動作記憶手段と、行っている検査対象に対応する検査対象識別子を検査装置に送信する第1の通信手段を有し、検査装置は、検査対象識別子に対応づけてパラメータを記憶するパラメータ記憶手段を有することを特徴とする。
【００１２】
検査装置は、検査対象を識別する検査対象識別子ごとに、行わせるべき所定の動作を記憶する第２の動作記憶手段と、検査対象識別子に対応づけてパラメータを記憶するパラメータ記憶手段と、検査すべき検査対象に対応する所定の動作を被検査装置に送信する第２の通信手段を有することを特徴とする。
【００１３】
被検査装置は、被検査装置を識別する被検査装置識別子を検査装置に送信する第３の通信手段を有し、検査装置は、さらに、被検査装置識別子ごとに、被検査装置が有する検査対象に対応する検査対象識別子を、所定の順序で記憶する被検査装置記憶手段を有することを特徴とする。
【００１４】
被検査装置、及び検査装置は、データ通信後、一定時間内に返信の応答がなければシステムの異常と判断するシステム異常判断手段を有することを特徴とする。
【００１５】
センサは、加速度センサであることを特徴とする。
【００１６】
また、本発明における検査方法は、検査装置によるセンサを用いて検査対象を２つ以上有する被検査装置の検査対象を検知する検知ステップと、検査対象と、検知ステップによる検知結果を異常と判定する閾値であるパラメータとを関連づけて変更を行い判定する異常判定ステップと、を備えることを特徴とする。
【００１７】
また、本発明におけるプログラムは、検査装置によるセンサを用いて検査対象を２つ以上有する被検査装置の検査対象を検知する検知処理と、検査対象と、検知処理による検知結果を異常と判定する閾値であるパラメータとを関連づけて変更を行い判定する異常判定処理と、をコンピュータに実行させることを特徴とする。
【発明の効果】
【００１８】
本発明により、被検査装置と同期を行い、検査部品の情報抽出を自動で行うことで、作業工数を削減し、信頼性を向上させることが可能となる。
【発明を実施するための最良の形態】
【００１９】
次に、発明を実施するための最良の形態について図面を参照して詳細に説明する。
【００２０】
図１は、本発明の実施形態における検査システムの構成図である。本検査システムは、センサ９を有する計測装置３１と、計測結果から異常判定を行う検査装置１１と、異常検査が行われる被検査装置２１と、を有して構成され、検査装置１１と被検査装置２１とは、ケーブル１０などにより通信可能に接続されて同期が取れるよう構成される。
【００２１】
なお、図２のように検査装置４１にセンサ９を具備し、センサからの信号を計測させる計測部を備えることで検査装置４１と、被検査装置２１とで構成することも可能である。
【００２２】
図３は、検査装置１１の構成図である。検査装置１１は、ＣＰＵ１と、メモリ２と、記憶装置３と、通信Ｉ／Ｆ（インタフェース）４と、を有して構成される。
【００２３】
ＣＰＵ１は、記憶装置３に格納されるプログラムに従ってメモリ２を用いて演算を行い、装置全体の制御を司る。また、記憶装置３には、センサにて検知される媒体のパラメータ閾値、被検査装置２１との同期タイミング、検査ＩＤごとに、行わせるべき所定の動作など、その他の固定データが格納される。ここでパラメータとは、各被検出媒体に固有のものであり、各被検出媒体が正常時においてセンサで検出される閾値であったり、正常時に得ることのできる平均値などのデータであり、各被検出媒体のパラメータを区別できるように識別子を設けて格納されている。また、同一の検査対象であっても動作モードが異なればそれぞれ異なったパラメータとなる。
【００２４】
また、図４は、被検査装置２１の構成図である。被検査装置２１は、ＣＰＵ５と、メモリ６と、記憶装置７と、通信Ｉ／Ｆ（インタフェース）８と、を有して構成される。
【００２５】
ＣＰＵ５は、記憶装置７に格納されるプログラムに従ってメモリ６を用いて演算を行い、装置全体の制御を司る。また、記憶装置７には、検査装置１１との同期タイミング、検査ＩＤごとに、行うべき所定の動作など、その他の固定データが格納される。
【００２６】
また、前述したように検査装置１１と被検査装置２１とは、ケーブル、あるいはネットを介して通信Ｉ／Ｆ４、及び通信Ｉ／Ｆ８によりデータの送受信を行う。
【００２７】
また、計測装置３１に備えられるセンサ９は、被検査装置２１、あるいは被検査装置２１付近に備えられ、振動や音などの検出を行う。被検査装置２１の異音検査には、例えば加速度センサが被検査装置２１に直接取り付けられる。
【００２８】
加速度センサを用いることにより、被検査装置２１の振動から音を検出することができるため、従来のように周囲が無音の無音響施設などでなく、周囲の雑音がある場所においても被検査装置２１の異音検出を行うことが可能である。
【００２９】
次に、検査装置１１、被検査装置２１、及び計測装置３１の機能構成について図面を参照して詳細に説明する。
【００３０】
図５は、検査装置１１の機能ブロック図である。検査装置１１は、通信部１２と、異常判定部１３と、パラメータ記憶部１４と、同期制御部１５と、通信部１６と、それらを統括して制御する制御部１７と、を有して構成される。
【００３１】
通信部１２は、計測装置３１とデータの送受信を行い、異常判定部１３は、通信部１２を介して計測装置３１より得られた計測結果の異常判定を行う。
【００３２】
また、パラメータ記憶部１４は、被検査装置２１の検査ＩＤ（被検査装置における一連の検査において、連続して決められた順番に検査される検査項目を総称した識別名称）に対応するパラメータ群が格納されており、異常判定部１３は、検査している検査ＩＤに対応するパラメータ群をパラメータ記憶部１４から抽出し、検査中の検査項目のパラメータを参照して、センサ９による検出値が該パラメータと比較して一致、あるいは閾値に収まっているかを判断基準として異常判定を行う。なお、パラメータ群からの検査項目に対応するパラメータの取り出しの詳細については後述する。
【００３３】
同期制御部１５は、被検査装置２１と同期するためのデータ送受信を行う通信部１６の制御を行い、制御部２５へ同期信号を送信する。
【００３４】
続いて、パラメータ記憶部１４に格納されるパラメータ群、及び異常判定部１３にて比較に用いられるパラメータの抽出について、表１を参照に詳細に説明する。表１は、検査ＩＤの一例を示し、それに関連してパラメータ記憶部１４に格納されるパラメータ群について詳細に説明する。
【００３５】
【表１】
2010085184.tif 000003
【００３６】
例えば、検査１という検査ＩＤに対しては、検査項目がハードディスクドライブ（ＨＤＤ）、光学ドライブ（ＯＤＤ）、ファンであり、それぞれが検査項目１、検査項目２、検査項目３の順番に検査される。また、ＨＤＤが複数ある場合などには、同様に検査順に関連付けてグループ化される。一方、パラメータ記憶部１４には、検査１、検査２、ＨＤＤそれぞれに対応したパラメータ群が格納される。例えば、検査１のパラメータ群としては、１番目に使用するパラメータとしてＨＤＤのパラメータ、２番目にＯＤＤのパラメータ、３番目にファンのパラメータが関連付けて格納されている。
【００３７】
異常判定部１３は、通信部１６を介して被検査装置２１から送られる装置情報に従って検査ＩＤを決定し、対応するパラメータ群をパラメータ記憶部１４から抽出する。抽出後、検査項目１のパラメータを用いて異常判定を行い、同期制御部１５からの検査項目完了通知（同期タイミング）に従って、検査項目２のパラメータを設定する。以降は、同様に検査ＩＤに対して検査すべき全ての検査項目が終了するまでパラメータの設定、及び異常判定が行われる。
【００３８】
例えば、上記検査１が行われる場合には、検査１に対応するパラメータ群がパラメータ記憶部１４より取り出され、先ず、ＨＤＤのパラメータを用いて、異常判定が行われる。次に、ＨＤＤの検査項目完了通知を受けると、２番目に使用するパラメータとして関連付けられているＯＤＤのパラメータの設定がされ、同様に異常判定が行われることになる。
【００３９】
なお、２つ以上の検査項目を有するパラメータ群は、検査の対象となる物が複数存在しても良いし、物理的に１つのものが有する動作モードが複数存在する場合には、それぞれのパラメータが複数含まれることになる。例えば、ＨＤＤ１、及びＨＤＤ２は、同一のＨＤＤであり、ＨＤＤ１は、書き込み時における動作音におけるパラメータであり、ＨＤＤ２は、読み込み時の動作音のパラメータである。すなわち、検査項目とは、検査対象のハードウェアに限られず、ハードウェアの検査される動作を示すものである。
【００４０】
図６は、被検査装置２１の機能ブロック図である。被検査装置２１は、ハードウェア制御部２２と、同期制御部２３と、通信部２４と、それらを統括して制御する制御部２５と、を有して構成される。
【００４１】
ハードウェア制御部２２は、被検査装置２１に備えられるハードウェア情報を取得するとともに、各検査項目に対応するハードウェアの駆動制御を行う。同期制御部２３は、検査装置１１と同期するためのデータ送受信を行う通信部２４の制御を行い、制御部２５へ同期信号を送信する。
【００４２】
また、計測装置３１の機能ブロック図である。計測装置３１は、検知部３２と、計測部３３と、通信部３４と、それらを統括して制御する制御部３５と、を有して構成される。
【００４３】
検知部３２は、センサによって、被検査装置の異音などの検出を行い、例えば、加速度センサなどが用いられる。計測部３３は、検知部３２で検知した信号を受信し、アナログ信号をデジタル信号へと変換して計測を行う。加速度センサで構成する際には、加速度センサが被検査装置２１に直接設置され、検査項目から発する音による振動を検知し、特定周波数帯の振動加速度の計測が行われる。なお、センサは加速度センサに限ることなく、様々なセンサを用いることが可能である。
【００４４】
また、通信部３４は、検査装置２１とデータの送受信を行い、計測部３３における計測結果の送信などを行う。
【００４５】
図８は、本発明の実施形態における検査システムの動作を示すシーケンス図である。
【００４６】
被検査装置は、自身に備えられる検査対象となるハードウェアの情報を取得し（ステップＳ１１）、該情報を通信部を介して検査装置へと送信する（ステップＳ１２）。
【００４７】
検査装置は、受け取ったハードウェア情報から検査ＩＤを決定し、異常判定部は、対応するパラメータ群をパラメータ記憶部から抽出する（ステップＳ１３）。次に検査される検査項目ｎに従って、異常判定時に使用するパラメータを設定し（ステップＳ１４）、設定したパラメータに対応するｎの値を通信部を介して被検査装置へ通知する（ステップＳ１５）。このとき検査項目ｎの値は、パラメータ群抽出後における最初の検査では、ｎ＝１である。
【００４８】
ｎの値を受信した被検査装置は、検査項目ｎに対応するハードウェアを所定の動作モードにて駆動し（ステップＳ１６）、駆動完了通知を通信部を介して検査装置へと送信する（ステップＳ１７）。
【００４９】
検査装置は、被検査装置よりハードウェアの駆動完了通知を受け取った後、計測装置に対して計測開始指示を行う（ステップＳ１８）。
【００５０】
計測装置は、計測開始の指示を検査装置より受け取ると、センサにより音や振動などの検知を行い（ステップＳ１９）、センサが検出した信号を変換して計測を行う（ステップＳ２０）。計測が終了すると、検査装置に通信部を介して計測結果を送信する（ステップＳ２１）。
【００５１】
検査装置は、計測装置より計測結果を受け取ると、計測が終了したことを被検査装置へ通信部を介して通知し（ステップＳ２２）、該計測結果と設定されているパラメータとの比較をして一致、あるいは閾値に収まっているか否かを判断基準として異常判定を行う（ステップＳ２３）。また、計測終了通知を受け取った被検査装置は、ハードウェアの駆動を停止する（ステップＳ２４）。
【００５２】
検査装置は、ステップＳ２３における異常判定結果により検査項目が正常に動作しているか否かの判断を行う（ステップＳ２５）。このとき不一致、あるいは閾値を超えていた場合には、異常と判断し、異常処理を行う（ステップＳ２６）。
【００５３】
一方、一致、あるいは閾値に収まっていた場合には、正常に動作していると判断し、検査ＩＤに対する全検査項目が検査されたか否かを判断する（ステップＳ２７）。全検査項目が終了していなければ、ｎ＝ｎ＋１としてステップＳ１４以降の処理を繰り返す（ステップＳ２８）。
【００５４】
なお、ステップＳ１１にて被検査装置は、自身に備えられているハードウェア情報の取得を行っているが、備え付けられるハードウェアが常に一定で検査すべき項目が毎回同一などの場合には、ステップＳ１１の処理を行わず、ステップＳ１２にて検査装置に予め保持された情報を送信したり、準備が完了した旨を送信して検査装置側で予め決められたパラメータ群を抽出するよう構成しても良い。
【００５５】
また、検査装置、及び被検査装置は、それぞれ各情報送信後の時間を計測する時間計測部を備え、各情報送信後一定時間情報経っても返信が無い場合には、情報を送った装置が異常を起こしていると判断をして異常処理を行う。
【００５６】
例えば、被検査装置では、ステップＳ１２によるハードウェア情報送信後のステップＳ１５によるｎの値の通知、及びステップＳ１７の駆動完了通知後のステップＳ２２による計測終了通知がそれぞれ一定時間経っても無ければ、検査装置、あるいは通信機能が異常であると判断する。
【００５７】
一方、検査装置においては、ステップＳ１５によるｎの値通知後のステップＳ１７による駆動完了通知が一定時間経っても無ければ、被検査装置、あるいは通信機能の異常と判断を行い、また、ステップＳ１８による計測開始支持後のステップＳ２１による計測結果送信が一定時間経っても無い場合には、計測装置、あるいは通信機能が異常であると判断する。
【００５８】
また、本シーケンス図では、同期のタイミングを一方向のみで示したが、これに限ることは無く、例えば、一方から情報の送信があった場合に、他方の装置が該情報を受け取った旨を返信して毎回同期を行うよう構成しても良い。
【００５９】
図９は、本発明の他の実施形態における検査システムの動作を示すシーケンス図である。
【００６０】
検査装置は、検査開始通知を被検査装置へ送信する（ステップＳ３１）。被検査装置は、検査の対象となる検査項目の情報を送信する（ステップＳ３２）。その際、被検査装置は、予め格納された検査項目の順番に従って検査を行い、これから検査が行われる検査項目を検査装置へと知らせる。
【００６１】
検査装置は、受け取った情報から該検査項目に対応するパラメータを抽出する（ステップＳ３３）。次に、抽出した検査項目のパラメータを設定し（ステップＳ３４）、設定完了通知を被検査装置へ送信する（ステップＳ３５）。
【００６２】
設定完了通知を受信した被検査装置は、検査項目に対応するハードウェアを所定の動作モードにて駆動し（ステップＳ３６）、駆動完了通知を通信部を介して検査装置へと送信する（ステップＳ３７）。
【００６３】
検査装置は、被検査装置よりハードウェアの駆動完了通知を受け取った後、計測装置に対して計測開始指示を行う（ステップＳ３８）。
【００６４】
計測装置は、計測開始の指示を検査装置より受け取ると、センサにより音や振動などの検知を行い（ステップＳ３９）、センサが検出した信号を変換して計測を行う（ステップＳ４０）。計測が終了すると、検査装置に通信部を介して計測結果を送信する（ステップＳ４１）。
【００６５】
検査装置は、計測装置より計測結果を受け取ると、計測が終了したことを被検査装置へ通信部を介して通知し（ステップＳ４２）、該計測結果と設定されているパラメータとの比較をして一致、あるいは閾値に収まっているか否かを判断基準として異常判定を行う（ステップＳ４３）。また、計測終了通知を受け取った被検査装置は、ハードウェアの駆動を停止する（ステップＳ４４）。
【００６６】
検査装置は、ステップＳ４３における異常判定結果により検査項目が正常に動作しているか否かの判断を行う（ステップＳ４５）。このとき不一致、あるいは閾値を超えていた場合には、異常と判断し、異常処理を行う（ステップＳ４６）。
【００６７】
一方、一致、あるいは閾値に収まっていた場合には、正常に動作していると判断し、検査ＩＤに対する全検査項目が検査されたか否かを判断する（ステップＳ４７）。全検査項目が終了していなければ、ステップＳ３１の処理を繰り返す。
【００６８】
本実施形態によれば、予めパラメータ記憶部に検査順を関連づけて記憶しておく必要がなく、その都度被検査装置からの検査を行う検査項目の情報を受け取って、関連するパラメータを抽出することが可能となる。
【００６９】
また、予め格納された情報などから検査装置側で検査項目を決定し、ステップＳ３１による検査開始通知とともに被検査装置へ検査項目を通知し、その通知に従って被検査装置がハードウェアを駆動するよう構成しても良い。なお、このときには、ステップＳ３２の検査項目情報送信は必要なくなる。
【００７０】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【図面の簡単な説明】
【００７１】
【図１】本発明の実施形態に係る検査システムの構成図である。
【図２】本発明の他の実施形態に係る検査システムの構成図である。
【図３】本発明の実施形態に係る検査装置の構成図である。
【図４】本発明の実施形態に係る被検査装置の構成図である。
【図５】本発明の実施形態に係る検査装置の機能ブロック図である。
【図６】本発明の実施形態に係る被検査装置の機能ブロック図である。
【図７】本発明の実施形態に係る計測装置の機能ブロック図である。
【図８】本発明の実施形態に係る検査システムのシーケンス図である。
【図９】本発明の他の実施形態に係る検査システムのシーケンス図である。
【符号の説明】
【００７２】
９    センサ
１１    検査装置
１２    通信部
１３    異常判定部
１４    パラメータ記憶部
１５    同期制御部
１６    通信部
１７    制御部
２１    被検査装置
２２    ハードウェア制御部
２３    同期制御部
２４    通信部
２５    制御部
３１    計測装置
【図１】
2010085184.tif 000004
【図２】
2010085184.tif 000005
【図３】
2010085184.tif 000006
【図４】
2010085184.tif 000007
【図５】
2010085184.tif 000008
【図６】
2010085184.tif 000009
【図７】
2010085184.tif 000010
【図８】
2010085184.tif 000011
【図９】
2010085184.tif 000012